(57)【要約】【課題】  碍子の表面を洗浄する際に発生する廃物を空中に飛散するのを防止できる碍子洗浄用廃物受け具を提供する。【解決手段】  碍子８３ａ，…の表面を洗浄する際に発生する廃物を受けるべく、碍子８３ａ，…の下方に配置される受け具本体２と、受け具本体２を碍子８３ａ，…に取り付けるための取付手段３とを備え、受け具本体２は、廃物を受けるための凹状の受け部２１ａを有し且つ互いに連結される受け部材２１，…を複数備えることを特徴とする。【選択図】  図２
2011228055.tif 000002
【特許請求の範囲】
【請求項１】
碍子の表面を洗浄する際に発生する廃物を受けるべく、碍子の下方に配置される受け具本体と、受け具本体を碍子に取り付けるための取付手段とを備え、
受け具本体は、廃物を受けるための凹状の受け部を有し且つ互いに連結される受け部材を複数備えることを特徴とする碍子洗浄用廃物受け具。
【請求項２】
隣接される受け部同士間の隙間から廃物が漏出するのを防止すべく、隣接される受け部の各上端部に跨って配置されるカバー部を備える請求項１に記載の碍子洗浄用廃物受け具。
【発明の詳細な説明】
【技術分野】
【０００１】
本発明は、碍子の表面を洗浄する際に発生する廃物を受けるための碍子洗浄用廃物受け具に関する。
【背景技術】
【０００２】
従来、碍子の表面には、塩害を防止したり、塵埃付着による汚損を防止したりするために、シリコンコンパウンドが塗られている。そして、シリコンコンパウンドが劣化すると、シリコンコンパウンドを塗り直す必要があるため、まずは、碍子の表面を洗浄する必要がある。
【０００３】
具体的には、布やブラシで直接拭き取ったり、洗浄剤（例えば灯油等）で溶解させたりすることで、作業者が劣化したシリコンコンパウンドを碍子の表面から除去する。また、作業者が洗浄するのではなく、自動で碍子の表面を洗浄する洗浄装置も各種提案されている（例えば、特許文献１及び２）。
【先行技術文献】
【特許文献】
【０００４】
【特許文献１】特開昭５５−１２６９１８号公報
【特許文献２】特開２００７−１２３８９号公報
【発明の概要】
【発明が解決しようとする課題】
【０００５】
しかしながら、上記のように、作業者が洗浄する場合においても、また、洗浄装置が洗浄する場合においても、碍子の表面を洗浄する際に発生する廃物（例えば、シリコンコンパウンド、塵埃、洗浄剤等）が空中に飛散してしまうという問題を抱えている。
【０００６】
よって、本発明は、斯かる事情に鑑み、碍子の表面を洗浄する際に発生する廃物を空中に飛散するのを防止できる碍子洗浄用廃物受け具を提供することを課題とする。
【課題を解決するための手段】
【０００７】
本発明に係る碍子洗浄用廃物受け具は、碍子の表面を洗浄する際に発生する廃物を受けるべく、碍子の下方に配置される受け具本体と、受け具本体を碍子に取り付けるための取付手段とを備え、受け具本体は、廃物を受けるための凹状の受け部を有し且つ互いに連結される受け部材を複数備えることを特徴とする。
【０００８】
本発明に係る碍子洗浄用廃物受け具によれば、取付手段が受け具本体を碍子に取り付けることで、受け具本体が碍子の下方に配置される。これにより、受け具本体が碍子の表面を洗浄する際に発生する廃物を受けることができる。しかも、廃物を受けるための凹状の受け部を有する受け部材が互いに連結されることで、受け具本体が構成されているため、連結する受け部材の数量を変更することにより、碍子の長さに対応して、受け具本体の長さを変更することができる。
【０００９】
また、本発明に係る碍子洗浄用廃物受け具においては、隣接される受け部同士間の隙間から廃物が漏出するのを防止すべく、隣接される受け部の各上端部に跨って配置されるカバー部を備えてもよい。
【００１０】
斯かる構成の碍子洗浄用廃物受け具によれば、カバー部が隣接される受け部の各上端部に跨って配置される。これにより、カバー部が隣接される受け部同士間の隙間を覆うため、当該隙間から廃物が漏出するのを防止できる。
【発明の効果】
【００１１】
以上の如く、本発明に係る碍子洗浄用廃物受け具によれば、取付手段が受け具本体を碍子に取り付けるため、受け具本体が碍子の下方に配置されるため、受け具本体が碍子の表面を洗浄する際に発生する廃物を受けることができ、その結果、碍子の表面を洗浄する際に発生する廃物を空中に飛散するのを防止できるという優れた効果を奏する。
【図面の簡単な説明】
【００１２】
【図１】本発明の一実施形態に係る碍子洗浄用廃物受け具が取り付けられる配電設備を説明する正面図を示す。
【図２】同実施形態に係る碍子洗浄用廃物受け具の全体正面図を示す。
【図３】同実施形態に係る碍子洗浄用廃物受け具の全体図であって、（ａ）は平面図、（ｂ）は側面図を示す。
【図４】同実施形態に係る碍子洗浄用廃物受け具の要部分解斜視図を示す。
【図５】同実施形態に係る碍子洗浄用廃物受け具の取り付け方法を説明する要部図であって、（ａ）及び（ｂ）はそれぞれ縦断面図を示す。
【図６】本発明の他の実施形態に係る碍子洗浄用受け具における受け部材の図であって、（ａ）は全体斜視図、（ｂ）は要部拡大正面図を示す。
【図７】同実施形態に係る碍子洗浄用廃物受け具の取り付け方法を説明する要部図であって、（ａ）及び（ｂ）はそれぞれ縦断面図を示す。
【発明を実施するための形態】
【００１３】
以下、本発明に係る碍子洗浄用廃物受け具における一実施形態について、図１〜図５を参酌して説明する。
【００１４】
まず、図１に示すように、本実施形態に係る碍子洗浄用廃物受け具（以下、単に「廃物受け具」ともいう）１は、碍子８３ａ，…の表面を洗浄する際に発生する廃物を受けるものである。ここで、廃物受け具１の各構成を説明するのに先立って、碍子８３ａ，…を備える配電設備８について説明する。
【００１５】
配電設備８は、鉄塔８１と、鉄塔８１のアーム部８１ａに電線８２を支持するための碍子連８３とを備える。そして、碍子連８３は、複数（本実施形態においては五つ）の碍子８３ａ，…を連結して構成されている。そして、一端部が鉄塔８１のアーム部８１に掛止され且つ他端部が電線８２に掛止される梯子Ｙの上で、作業者Ｘが各碍子８３ａの表面を洗浄する。なお、作業者Ｘが落下するのを防止する落下防止装置については、図１において、図示していない（省略している）。
【００１６】
廃物受け具１は、図２〜図４に示すように、碍子８３ａ，…の表面を洗浄する際に発生する廃物（除去されたシリコンコンパウンドや塵埃、洗浄に使用された洗浄剤等）を受けるべく、碍子８３ａ，…の下方に配置される受け具本体２を備える。また、廃物受け具１は、受け具本体２を碍子８３ａ，…に取り付けるための取付手段３を備える（図３（ａ）においては、取付手段３を図示していない）。
【００１７】
受け具本体２は、廃物を受けるための凹状の受け部２１ａを有する受け部材２１，…を複数備える。また、受け具本体２は、複数の受け部材２１，…を連結する連結部材２２，…を複数備える。なお、各受け部材２１は、一つ分の碍子８３ａの大きさに対応して形成され、一つの碍子８３ａの下端側を収容できる。
【００１８】
各受け部材２１は、一対の側壁部２１１，２１１と、一対の側壁部２１１，２１１間に配置され、各側壁部２１１の両側縁及び下縁に沿って設けられる周壁部（側壁部及び底壁部）２１２とを備え、上方が開放された箱状であって、略直方体状に形成されている。また、各受け部材２１は、側壁部２１１の側部に、取付手段３を固定する固定部２１３，…を備える。
【００１９】
各側壁部２１１は、剛性を有する環状の枠部２１１ａと、枠部２１１ａよりも厚みが薄く形成され、枠部２１１ａの内部を覆う壁部２１１ｂとを備える。また、各側壁部２１１は、上端部に碍子８３ａに対応すべく、凹部２１１ｃを備えている。
【００２０】
周壁部２１２は、可撓性を有すると共に、帯状に形成されている。そして、周壁部２１２の一端部が一方の側壁部２１１の両側縁及び下縁に亘って連結されていると共に、周壁部２１２の他端部が他方の側壁部２１１の両側縁及び下縁に亘って連結されている。これにより、受け部材２１は、可撓性を有する周壁部２１２を変形させることで、折り畳むことができる。例えば、周壁部２１２は、蛇腹状に形成され、伸縮可能に構成されている。
【００２１】
各連結部材２２は、隣接される受け部材２１，２１の側壁部２１１，２１１同士を合わせた状態で挟持する挟持部２２１，２２１と、各挟持部２２１を操作するための操作部２２２とを備える。また、各連結部材２２は、隣接される受け部材２１，２１同士間の隙間から廃物が漏出するのを防止すべく、隣接される受け部材２１，２１の各上端部に跨って配置されるカバー部２２３を備える。
【００２２】
各挟持部２２１は、平板状に形成され、基端部（上端部）がカバー部２２３に連結される一対の挟持片２２１ａ，２２１ａを備える。そして、各挟持部２２１は、各挟持片２２１ａが弾性変形することにより、一対の挟持片２２１ａ，２２１ａの先端部（下端部）同士を接離可能に構成されている。
【００２３】
各操作部２２２は、長尺に形成され、基端部が各挟持片２２１ａの先端部に枢着される操作片２２２ａ，２２２ａを一対備える。そして、一対の操作片２２２ａ，２２２ａは、挟持片２２１ａの外側に沿って配置され且つ先端部が各挟持部２２１ａの基端部から突出して配置された状態において、先端部同士が接近するように操作されることで、一対の挟持片２２１ａ，２２１ａの先端部同士を離反させる。
【００２４】
カバー部２２３は、長手方向における両側部が平板状に形成され、長手方向における中間部が側壁部２１１の凹部２１１ｃに対応して湾曲した板状に形成されて構成されている。そして、カバー部２２３は、隣接される受け部２１ａ，２１ａの各上端部、即ち、隣接される側壁部２１１（枠部２１１ａ）の各上端部に跨って配置される。
【００２５】
取付手段３は、長尺な紐状に形成され、受け部材２１の固定部２１３，…に対して着脱可能な取付部材３１，…を複数備える。そして、取付手段３は、複数の取付部材３１，…を固定部２１３に固定し、各取付部材３１を各碍子８３ａに掛止させることで、受け具本体２を碍子８３ａの下方に配置させる。
【００２６】
各取付部材３１は、固定部２１３に固定される位置を変更可能に構成され、碍子８３ａの大きさに対応して、各固定部２１３で固定される部位間の長さを変更できる。例えば、各取付部材３１は、複数の環状部材が連結されたチェーンであって、固定部２１３に掛止される位置を適宜選択できるように構成されている。
【００２７】
本実施形態に係る廃物受け具１の構成については以上の通りであり、次に、本実施形態に係る廃物受け具１の碍子８３ａへの取り付け方法について説明する。
【００２８】
まず、取り付け対象となる碍子連８３、即ち、碍子８３ａの数量に応じた数量の受け部材２１，…、連結部材２２，…及び取付部材３１，…を用意する。そして、図５（ａ）に示すように、各挟持片２２１ａから突出する一対の操作片２２２ａ，２２２ａの先端部同士が接近するよう（図５（ａ）のＡ矢印方向）に、各操作片２２２ａを操作（付勢）することで、一対の挟持片２２１ａ，２２１ａの先端部同士を離反させる。
【００２９】
次に、各受け部材２１の側壁部２１１，２１１同士を合わせた状態で、一対の側壁部２１１，２１１が一対の挟持片２２１ａ，２２１ａ間に位置するよう（図５（ａ）のＢ矢印方向）に、連結部材２２を移動させる。なお、各受け部材２１には、側壁部２１１，２１１同士の両側縁と下縁とを接続する接続手段（例えばファスナ）が設けられ、接続手段により、側壁部２１１，２１１同士が合わされた状態で維持できる場合でもよい。
【００３０】
そして、各操作片２２２ａの操作（付勢）を解除すると、各挟持片２２１ａが弾性力により復元して先端部で一対の側壁部２１１，２１１を挟持する。これにより、複数の受け部材２１，…が連結される。さらに、各操作片２２２ａが碍子８３ａと干渉するのを防止すべく、各操作片２２２ａの先端部が受け部材２１の内部に位置するよう（図５（ｂ）のＣ矢印方向）に、基端部を中心に各操作片２２２ａを回動させる。
【００３１】
次に、取付部材３１の一方の端部側を受け部材２１の固定部２１３に固定し、取付部材３１を碍子８３ａに掛止させた状態で、取付部材３１の他方の端部側を受け部材２１の固定部２１３に固定させる。これにより、複数の受け部材２１，…が連結された受け具本体２を、碍子連８３（碍子８３ａ）の下方に配置できる。
【００３２】
以上より、本実施形態に係る廃物受け具１によれば、取付手段３が受け具本体２を碍子８３ａに取り付けることで、受け具本体２が碍子８３ａの下方に配置される。これにより、受け具本体２が碍子８３ａの表面を洗浄する際に発生する廃物を受けることができるため、碍子８３ａの表面を洗浄する際に発生する廃物を空中に飛散するのを防止できる。
【００３３】
また、本実施形態に係る廃物受け具１によれば、廃物を受けるための凹状の受け部２１ａを有する受け部材２１，…が互いに連結されることで、受け具本体２が構成されているため、連結する受け部材２１，…の数量を変更することにより、碍子８３ａ（碍子連８３）の長さに対応して、受け具本体２の長さを変更することができる。
【００３４】
また、本実施形態に係る廃物受け具１によれば、連結部材２２のカバー部２２３が隣接される受け部２１ａ，２１ａの各上端部に跨って配置される。これにより、カバー部２２３が隣接される受け部２１ａ，２１ａ同士間の隙間を覆うため、当該隙間から廃物が漏出するのを防止できる。
【００３５】
なお、本発明に係る碍子洗浄用廃物受け具は、上記した実施の形態に限定されるものではなく、本発明の要旨を逸脱しない範囲内において種々変更を加え得ることは勿論である。また、下記する各種の変更例に係る構成や方法等を任意に選択して、上記した実施形態に係る構成や方法等に採用してもよいことは勿論である。
【００３６】
例えば、上記実施形態に係る碍子洗浄用廃物受け具１においては、受け部材２１が一つ分の碍子８３ａの大きさに対応して形成される場合を説明したが、斯かる場合に限られない。具体的には、受け部材は、二つ分の碍子８３ａの大きさに対応して形成される場合でもよく、三つ分以上の碍子８３ａの大きさに対応して形成される場合でもよく、また、複数の大きさ（一つ分、二つ分、三つ分等）が混在する場合でもよい。
【００３７】
また、上記実施形態に係る碍子洗浄用廃物受け具１においては、連結部材２２が受け部材２１，２１同士を連結する場合を説明したが、斯かる場合に限られず、受け部材２１とは別部材である連結部材２２を備えていない場合でもよい。例えば、図６及び図７に示すように、受け部材２１０は、隣接する受け部材２１０と連結するための連結部２１４を備える場合でもよい。
【００３８】
図６及び図７に示す受け部材２１０は、一対の側壁部２１１，２１１と、一対の側壁部２１１，２１１間に配置され、各側壁部２１１の両側縁及び下縁に亘って設けられる周壁部２１２と、取付手段３を固定する固定部２１３，…とを備え、さらに、隣接する受け部材２１０と連結するための連結部２１４を備える。
【００３９】
連結部２１４は、一方の側壁部２１１の上端部から直交する方向に突出し、隣接される受け部材２１０の側壁部２１１の上端部に跨って配置されるカバー部２１４ａを備える。また、連結部２１４は、隣接される受け部材２１０から外れるのを防止すべく、受け部材２１０の側壁部２１１、具体的には、枠部２１１ａを掛止する掛止部２１４ｂを備える。
【００４０】
斯かる構成の受け部材２１０によれば、図７（ａ）に示すように、一方の受け部材２１０を、側壁部２１１に沿って（図７（ａ）のＤ矢印方向に）移動させると、掛止部２１４が他方の受け部材２１０の枠部２１１ａの下方側を掛止する。これにより、受け部材２１０，２１０同士が連結部２１４により連結され、しかも、カバー部２１４ａが隣接される受け部２１０ａ，２１０ａの各上端部に跨って配置されている。
【００４１】
また、上記実施形態に係る碍子洗浄用廃物受け具１においては、取付手段３が各碍子８３ａに掛止される紐状の取付部材３１，…を複数備える場合を説明したが、斯かる場合に限られない。例えば、取付手段は、鉄塔８１のアーム部８１ａや電線８２に、固定（掛止）されることで、受け具本体２を碍子８３ａの下方に配置して取り付ける場合でもよい。
【符号の説明】
【００４２】
１…碍子洗浄用廃物受け具、２…受け具本体、３…取付手段、２１…受け部材、２１ａ…受け部、２２…連結部材、３１…取付部材、２２３…カバー部、８３ａ…碍子
【図１】
2011228055.tif 000003
【図２】
2011228055.tif 000004
【図３】
2011228055.tif 000005
【図４】
2011228055.tif 000006
【図５】
2011228055.tif 000007
【図６】
2011228055.tif 000008
【図７】
2011228055.tif 000009